(57)【要約】【課題】  屋根上に屋内の自然換気を可能とする換気用棟構造材および換気装置を提供する。【解決手段】  屋根に形成した換気用開口部を囲むように構築する換気装置において、換気用棟構造材は、断面コ字形状を有し、コ字形開口面を対向させた一対の長形支持桁材６の外側連結板９には複数枚の遮蔽板７によって外側遮蔽面を形成するとともに内側連結板１０には複数枚の遮蔽板８によって内側遮蔽面を形成したものであり、また、換気装置は、断面コ字形状を有し、コ字形開口面を対向させた一対の長形支持桁材６の外側連結板９には複数枚の遮蔽板７によって外側遮蔽面を形成するとともに内側連結板１０には複数枚の遮蔽板８によって内側遮蔽面を形成した一対の棟構造材２の上端部を回動可能な連結部材３により開閉可能に連結したものであり、一対の棟構造材２の下部は広げることができる。【選択図】図１
2005133354.tif 000002
【特許請求の範囲】
【請求項１】
屋根に形成した換気用開口部を囲むように構築する換気装置において、断面コ字形状を有し、コ字形開口面を対向させた一対の長形支持桁材６の外側連結板９には複数枚の遮蔽板７によって外側遮蔽面を形成するとともに内側連結板１０には複数枚の遮蔽板８によって内側遮蔽面を形成したことを特徴とする換気用棟構造材。
【請求項２】
屋根に形成した換気用開口部を囲むように構築する換気装置において、断面コ字形状を有し、コ字形開口面を対向させた一対の長形支持桁材６の外側連結板９には複数枚の遮蔽板７によって外側遮蔽面を形成するとともに内側連結板１０には複数枚の遮蔽板８によって内側遮蔽面を形成した一対の棟構造材２の上端部を回動可能な連結部材３により開閉可能に連結したことを特徴とする換気装置。
【請求項３】
屋根に形成した換気用開口部を囲むように構築する換気装置において、断面コ字形状を有し、コ字形開口面を対向させた一対の長形支持桁材６の外側連結板９には複数枚の遮蔽板７によって外側遮蔽面を形成するとともに内側連結板１０には複数枚の遮蔽板８によって内側遮蔽面を形成した一対の棟構造材２の上端部を回動可能な連結部材３により開閉可能に連結し、両棟構造材２の下部を広げて屋根開口部上に設置可能としたことを特徴とする換気装置。
【請求項４】
屋根に形成した換気用開口部を囲むように構築する換気装置において、断面コ字形状を有し、コ字形開口面を対向させた一対の長形支持桁材６の外側連結板９には複数枚の遮蔽板７によって外側遮蔽面を形成するとともに内側連結板１０には複数枚の遮蔽板８によって内側遮蔽面を形成した一対の棟構造材２の上端間を天板１３により連結し、棟構造材２と天板１３とは回動可能な連結部材３により開閉可能に連結したことを特徴とする換気装置。
【請求項５】
支持桁材６の内側連結板１０の開口端には防虫網の張設部材１５を連設したことを特徴とする請求項１に記載する換気用棟構造材。
【請求項６】
支持桁材６の内側連結板１０の開口端には防虫網の張設部材１５を連設したことを特徴とする請求項２、３および４に記載する換気装置。
【発明の詳細な説明】
【技術分野】
【０００１】
本発明は換気用棟構造材および換気装置に関し、特に、倉庫や工場、体育館等の建物において屋内の自然換気を可能とした棟構造材および換気装置に関するものである。
【背景技術】
【０００２】
倉庫や工場等において屋内換気をする場合、通常は排気ファンを回転させる強制換気が一般的である。しかし、大型の建物において強制換気をする場合、数多くの換気装置を設置するか大型の換気装置を設置するために排気ファンの回転音が大きく、これが周辺への騒音の原因となっていた。また、排気ファンの清掃や点検等に時間と費用を要していた。
【０００３】
騒音の発生ををなくし、自然に換気を行うには窓を開けて屋内外の空気を入れかえることが一般的であるが、単に窓を開けただけでは外部の騒音や塵埃が屋内に侵入し、また、雨天や降雪の場合には雨、雪が屋内に入り込み、屋内を濡らす原因となる。そこで、自然に換気のみを行い、雨や雪が屋内に浸入しないようにしたガラリ構造の自然換気装置が提供されている。
【０００４】
例えば、特開昭６２−６３７４９号第５図や特開平０３−２４４７５０号第１図に示すように屋根に形成した換気用開口部を囲むように三角形状に構築した換気装置である。
【０００５】
即ち、両側一対の支柱間に、空気の流通は可能であるが雨水や雪等の侵入を防止する横長な遮蔽部材を固定し、かつ、上下の遮蔽部材は空間を置いて上下に重なり合うように配設して面一状の遮蔽面を形成する。そして、支柱の内外両面に遮蔽部材による遮蔽面を形成した屋根構造材は、屋根開口部を囲むように両側から傾斜状に設置して三角形状に組み立てた棟構造としたものである。
【０００６】
上記する棟構造において遮蔽部材間には流通空間が形成されるので、屋内の空気は外部に排出され屋内換気がなされる。雨水や雪等は屋内に入ることはなく、仮に、外側に面する遮蔽部材間の空間を通っても内側の遮蔽部材で遮られ、水切り板で外部に流出するようになっている。
【特許文献１】特開昭６２−６３７４９号
【特許文献２】特開平０３−２４４７５０号
【発明の開示】
【発明が解決しようとする課題】
【０００７】
しかし、上記する従来の自然換気装置では、内外の遮蔽部材間に間隔を開け、かつ、複数の遮蔽部材を上下方向に水平に支持する両側の支柱（支持桁材）は、断面方形のチャンネル鋼材が使用されている。そして、遮蔽部材を有する支柱を三角形状の棟構造を形成するように両側へ傾斜状に連結しているので全体重量が重くなり、運搬や設置作業が大変であった。
【０００８】
特に、棟構造の頂部は連結して固定してあるので、トラックで運搬する際、荷台には一台の換気装置しか設置できず運送効率が悪いものであった。このため、現場で三角形に連結、固定する作業が行われていたが、高所での作業となるので作業員が転落する危険性を有していた。
【０００９】
本発明は、上記する従来の屋根上に設置した自然換気装置の問題点に鑑み、雨水や雪等の浸入を防止する遮蔽板を取り付ける支持桁材を軽量化した換気用棟構造材を提供するものである。
また、本発明は、三角状の換気装置を構成する一対の棟構造材を折り畳み可能として運搬や設置作業等の取り扱いに便利なものとした換気装置を提供することを目的とするものである。
【課題を解決するための手段】
【００１０】
上記の目的を達成するために本発明換気用棟構造材は、屋根に形成した換気用開口部を囲むように構築する換気装置において、断面コ字形状を有し、コ字形開口面を対向させた一対の長形支持桁材６の外側連結板９には複数枚の遮蔽板７によって外側遮蔽面を形成するとともに内側連結板１０には複数枚の遮蔽板８によって内側遮蔽面を形成したものである。
【００１１】
また、本発明換気装置は、屋根に形成した換気用開口部を囲むように構築する換気装置において、断面コ字形状を有し、コ字形開口面を対向させた一対の長形支持桁材６の外側連結板９には複数枚の遮蔽板７によって外側遮蔽面を形成するとともに内側連結板１０には複数枚の遮蔽板８によって内側遮蔽面を形成した一対の棟構造材２の上端部を回動可能な連結部材３により開閉可能に連結したものである。
【００１２】
更に、本発明換気装置は、屋根に形成した換気用開口部を囲むように構築する換気装置において、断面コ字形状を有し、コ字形開口面を対向させた一対の長形支持桁材６の外側連結板９には複数枚の遮蔽板７によって外側遮蔽面を形成するとともに内側連結板１０には複数枚の遮蔽板８によって内側遮蔽面を形成した一対の棟構造材２の上端部を回動可能な連結部材３により開閉可能に連結し、両棟構造材２の下部を広げて屋根開口部上に設置可能としたものである。
【００１３】
上記する換気用棟構造材および換気装置において、支持桁材６の内側連結板１０の開口端には防虫網の張設部材１３を連設可能である。
【発明の効果】
【００１４】
本発明において換気用の棟構造材２を形成する支持桁材６は、Ｃ形チャンネル鋼材を使用するので全体の軽量化を図ることが出来る。更に、支持桁材６の外側連結板９および内側連結板１０を使用することで内外の遮蔽板７、８間には適当な空間が形成され、仮に、外側遮蔽板７を雨水や雪等が浸入しても内側遮蔽板８で遮るので、屋内まで入り込むことがない。更に、下部の水切り板４で外部に流出させることが出来る。
【００１５】
一対の棟構造材２で構成される換気装置１は、建物の屋根に形成した開口部を囲むようにし、雨仕舞い処理をして設置することで屋内の自然換気が可能である。そして、内外両面の遮蔽板７、８および水切り板４により雨水や雪が屋内に入るのを防止することができる。
【００１６】
換気装置１を構成する一対の棟構造材２は、上端部を連結部材３で開閉可能に連結してあるので、保管、運搬に際しては折り畳んでおくことができ、場所を取らず、取り扱いに便利である。また、棟構造材２の開閉角度は任意に選択することができるので、屋根の開口部の大きさに合わせて設置することができるものである。
【００１７】
また、一対の棟構造材２は、方形状の平板１３に回動可能に連結することで全体として方形状の換気装置１を構築することができる。連結部分で棟構造材２を折り畳むことにより、保管や運搬、組み立て作業に便利である。
更に、支持桁材６の内側には防虫網を張設で切るようにしておけば、虫の他に鳥、木の葉、大きなゴミ類が屋内に入るのを防止することができる。
【発明を実施するための最良の形態】
【００１８】
以下、図面に従って、本発明の実施の形態を詳細に説明する。
図１は本発明換気装置の一実施形態を示すものであり、この換気装置１は、一対の棟構造材２の上端を、例えば公知の丁番軸のような回動可能な連結部材３を介して折り畳み可能に連結したものであり、下方を広げて三角形状にし、水切り板４を介して屋根を構築する躯体５上に設置してある。
【００１９】
棟構造材２は、図２に示すように、断面コ字形状とした、例えば、Ｃ型チャンネル鋼材からなる長形な支持桁材６と、空気の流通が可能な換気部の内外両面を遮蔽する長形な複数枚の遮蔽板７、８とからなっている。図３に示すように、一対の支持桁材６は、コ字形開口面を対抗させて設置し、両支持桁材６間に横長な遮蔽板７、８が架設して固定してある。
【００２０】
即ち、支持桁材６の外側連結板９の外面に外側遮蔽面を形成する遮蔽板７を取り付け、また、内側連結板１０の内面に内側遮蔽面を形成する遮蔽板８を取り付ける。各遮蔽板７、８は、上下に隣接する遮蔽板７、８の上下端が適当な空間を置いて重なり合うようになっており空気は流通するが雨水や雪等は通り抜けることはできない構造となっている。尚、内外の遮蔽板７、８は、従来のガラリ構造体を使用することが可能である。
【００２１】
上記のように支持桁材６と内外遮蔽板７、８とで構成される単体の棟構造材２は、内側遮蔽板８を向き合わせ、かつ、上端部を回動可能に連結して一対として使用する。このため、図３に示すように、向き合わせた支持桁材６の内側連結板１０の上端部を連結部材３によって連結すればよく、常態では図４、図５に示すように両側の棟構造材２を平行状に折り合わせて保管、運搬することができる。
【００２２】
一対に連結した棟構造材２は、現場（屋根上）において下部を開き屋根躯体５上に載せて固定すればよく、棟構造材２によって三角形を形成する換気装置１の頂部は、図６に示すように、外側連結板９上を棟板１１で被覆して雨仕舞い処理をすればよい。また、内側連結板９の頂部間も棟板１２で被覆するようにしてもよい。更に、換気装置１の両側三角状開口面は、板体により密閉して雨仕舞い処理をしておく。
【００２３】
尚、前記の構成において内外連結板９、１０と遮蔽板７、８および内外連結板９、１０と棟板１１、１２とは溶接、ビスあるいはボルト・ナット等で連結、固定すればよい。また、固定箇所にはパッキングを介在させてもよい。
【００２４】
図７は本発明換気装置の他の実施形態を示すものであり、前記と同じ部分は同じ符号を使用している。
前記の実施形態では一対の棟構造材２の上端を連結部材３を使用して連結してあるので、棟構造材２の下部を開いて三角形状の換気装置１を形成するようになっている。しかし、本発明はこのような三角形状の換気装置１に限定するものではない。
【００２５】
図７に示すように、対向させた一対の棟構造材２の上端間を平板な天板１３で連結し、両棟構造材２の内側上部と天板１３下面とは回動可能な連結部材１４で連結したことに特徴を有している。このような構成とすることにより、棟構造材３を立設させれば方形状の換気装置１を構築することができ、三角形状の換気装置１とは外観形状を異にして屋内換気を行うことができる。
【００２６】
工場で棟構造材２と天板１３とを連結した後、両棟構造材２は連結部材１４を中心にして内側へ折り畳めば全体形状を小型化できるので保管や運搬に便利であり、現場においては棟構造材２を立ち上げるだけでよく、構築作業を簡単に行うことができる。尚、図示していないが、棟構造材２の下端は水切り板４を介して屋根構築躯体５に固定される。
【００２７】
図８は、前記各実施形態の換気装置１において使用する支持桁材６の他の実施形態を示すものであり、前記の実施形態と同じ部分は同じ符号を使用している。
この実施形態においては内側連結板１０の開口端部にＬ字形に形成した張設部材１５を長さ方向にそって全長に突設したことに特徴を有している。この張設部材１５は、防虫網を張設するために使用する。
【００２８】
このため、張設部材１５の上下端間には横長な補助の張設部材１６を固定して全体として矩形状の枠体を形成し、この矩形状枠体全面に防虫網を張設すればよい。
適宜の手段で張設、固定した防虫網は、三角形状換気装置１の内側に位置するので、虫の他に鳥、木の葉等の侵入を防止することができる。
【産業上の利用可能性】
【００２９】
以上、説明した本発明換気装置１は自然換気が可能であるから、工場や倉庫、体育館等の建物の屋根に設置して最適である。更には、一般住宅その他の建造物に設置して使用可能である。
【図面の簡単な説明】
【００３０】
【図１】本発明換気装置の一実施形態を示す要部の断面図である。
【図２】棟構造材の要部の斜視図である。
【図３】支持桁材の斜視図である。
【図４】連結した棟構造材を折り畳んだ状態の側面図である。
【図５】連結した棟構造材を折り畳んだ状態の平面図である。
【図６】換気装置の頂部を棟板で被覆した状態の正面図である。
【図７】本発明換気装置の他の実施形態を示す要部の断面図である。
【図８】支持桁材の他の例を示す斜視図である。
【符号の説明】
【００３１】
１  換気装置
２  棟構造材
３  連結部材
４  水切り板
５  屋根構築躯体
６  支持桁材
７  外側遮蔽板
８  内側遮蔽板
９  外側連結板
１０  内側連結板
１１  棟板
１２  棟板
１３  天板
１４  回動用連結部材
１５  張設部材
１６  補助張設部材
【図１】
2005133354.tif 000003
【図２】
2005133354.tif 000004
【図３】
2005133354.tif 000005
【図４】
2005133354.tif 000006
【図５】
2005133354.tif 000007
【図６】
2005133354.tif 000008
【図７】
2005133354.tif 000009
【図８】
2005133354.tif 000010